(57)【要約】【課題】調速機ロープを巻取る調速機ロープ巻取り装置を提供する。【解決手段】旧調速機ロープ１が端末取付け金具１２によって傾斜ドラム１５に取り付けられた状態で手巻きハンドル１６を回転させると、旧調速機ロープ１が傾斜ドラム１５に巻きつけられる。傾斜ドラム１５は、その断面が逆台形状であるため、巻取られた旧調速機ロープ１は、傾斜ドラム１５の傾斜により、傾斜ドラム１５の下方に置かれたロープ収納箱１１に収まっていく。【選択図】図１
2006036436.tif 000002
【特許請求の範囲】
【請求項１】
回転軸を含む断面の形状が下方ほど細くなる傾斜ドラムと、
前記傾斜ドラムに設けられる部材であって調速機ロープの一端が取付けられる端末取付け部材と、
を有し、
前記傾斜ドラムが回転することによって、前記端末取付け部材に一端が取付けられた調速機ロープが前記傾斜ドラムに巻取られ、巻取られた調速機ロープが前記傾斜ドラムの下方に備えられた収納箱に収められる、
ことを特徴とする調速機ロープ巻取り装置。
【請求項２】
請求項１に記載の装置において、
前記傾斜ドラムは、その回転軸を含む断面の形状が略逆台形である、
ことを特徴とする調速機ロープ巻取り装置。
【請求項３】
請求項２に記載の装置において、
調速機ロープの導入路が設けられた装置フレームと、
前記導入路に設けられた補助ローラと、
をさらに有し、
調速機ロープが、前記導入路を通って前記補助ローラを介して前記装置フレーム内に収められた傾斜ドラムに取付けられる、
ことを特徴とする調速機ロープ巻取り装置。
【請求項４】
請求項３に記載の装置において、
前記装置フレームの外側から前記傾斜ドラムを回転させる手巻きハンドルをさらに有する、
ことを特徴とする調速機ロープ巻取り装置。
【発明の詳細な説明】
【技術分野】
【０００１】
本発明は、エレベータなどで利用される調速機ロープを巻取る調速機ロープ巻取り装置に関する。
【背景技術】
【０００２】
エレベータの主ロープ用の巻取り装置は知られている（特許文献１など）が、調速機ロープの取替え作業においては、作業者が旧調速機ロープを手で巻取るのが一般的である。
【０００３】
図３は、従来のエレベータの調速機ロープの取替え作業を説明するための図である。図３において、旧調速機ロープ１が機械室９に設置された調速機綱車４に巻き回されている。旧調速機ロープ１の一端は、昇降路７のピット７ａ（昇降路底部）に垂れ下がり、ロープ巻取り部５に巻きつけられている。また、旧調速機ロープ１の他端は、エレベータのかご８側に垂れ下がり、継ぎ治具３を介して、新調速機ロープ２の一端に取り付けられている。なお、新調速機ロープ２の他端側は、新調速機ロープ送り部６内に収められている。
【０００４】
調速機ロープを取替える場合、まず、ピット７ａに作業者が入れるように、例えば図３に示す位置にかご８を停止させる。次に、旧調速機ロープ１をかご８から取り外し、取り外した旧調速機ロープ１の端部と、新調速機ロープ送り部６から出ている新調速機ロープ２の端部とを継ぎ治具３で連結する。図３では、連結された状態が示されている。そして、機械室９に設けられた調速機綱車４を介してピット７ａ側に送られている旧調速機ロープ１を、ピット７ａに置かれたロープ巻取り部５によって作業者が手作業で巻取る。
【０００５】
【特許文献１】特開平１０−８７２１７号公報
【発明の開示】
【発明が解決しようとする課題】
【０００６】
従来の手法で調速機ロープを取替える場合、作業者が手作業でロープ巻取り部に旧調速機ロープを巻取るため、作業時間の短縮が困難であった。また、ピットで旧調速機ロープを巻取るため、旧調速機ロープが触れることで床や壁を汚す可能性もあった。
【０００７】
本発明は、上記従来の問題点に鑑みて成されたものであり、その目的は、調速機ロープを巻取る調速機ロープ巻取り装置を提供することにある。
【課題を解決するための手段】
【０００８】
上記目的を達成するために、本発明の好適な態様である調速機ロープ巻取り装置は、回転軸を含む断面の形状が下方ほど細くなる傾斜ドラムと、前記傾斜ドラムに設けられる部材であって調速機ロープの一端が取付けられる端末取付け部材と、を有し、前記傾斜ドラムが回転することによって、前記端末取付け部材に一端が取付けられた調速機ロープが前記傾斜ドラムに巻取られ、巻取られた調速機ロープが前記傾斜ドラムの下方に備えられた収納箱に収められる、ことを特徴とする。
【０００９】
望ましくは、前記傾斜ドラムは、その回転軸を含む断面の形状が略逆台形であることを特徴とする。望ましくは、調速機ロープの導入路が設けられた装置フレームと、前記導入路に設けられた補助ローラと、をさらに有し、調速機ロープが、前記導入路を通って前記補助ローラを介して前記装置フレーム内に収められた傾斜ドラムに取付けられる、ことを特徴とする。望ましくは、前記装置フレームの外側から前記傾斜ドラムを回転させる手巻きハンドルをさらに有することを特徴とする。
【発明の効果】
【００１０】
本発明により、調速機ロープを巻取る調速機ロープ巻取り装置が提供される。このため、例えば、手作業で調速機ロープを巻取る場合に比べて、作業時間の大幅な短縮が見込まれ、また、例えば、装置内にロープの収納箱を設けることにより、床や壁を汚すことなく旧調速機ロープを巻取ることができる。
【発明を実施するための最良の形態】
【００１１】
以下、本発明の好適な実施形態を図面に基づいて説明する。
【００１２】
図１には、本発明に係る調速機ロープ巻取り装置の好適な実施形態が示されており、図１はその全体構成を示す図である。
【００１３】
調速機ロープ巻取り装置２０は、傾斜ドラム１５が回転することにより、旧調速機ロープ１を巻取る装置である。図１は、この傾斜ドラム１５の回転軸を含む平面による装置の断面図である。
【００１４】
傾斜ドラム１５は、回転軸を含む断面の形状が逆台形となっている。つまり、傾斜ドラム１５の立体形状は、円錐をその底面に平行な面で底面側と頂点側との二つの部分に切断した場合における底面側の部分の形状に相当する。なお、傾斜ドラム１５は、断面が逆台形のものに限らず、断面が下方ほど細くなっているものであればよい。例えば、傾斜ドラム１５の立体形状が円錐そのものでもよい。
【００１５】
傾斜ドラム１５には、旧調速機ロープ１の端部を取付けるための端末取付け金具１２が設けられており、調速機ロープを取替える際に、図１に示すように、旧調速機ロープ１の一端が取付けられる。
【００１６】
また、傾斜ドラム１５には、これを回転させるための手巻きハンドル１６が連結されている。手巻きハンドル１６は、装置フレーム１０の外側から、装置フレーム１０の内側に収められている傾斜ドラム１５に連結されている。装置フレーム１０と手巻きハンドル１６の接触部分には、ハンドル用ベアリング１７が設けられ、手巻きハンドル１６の回転動作がスムーズに行われる。
【００１７】
装置フレーム１０には、巻取り用サポート板１３によって旧調速機ロープ１の導入路が設けられている。つまり、旧調速機ロープ１が、装置フレーム１０の外側から、巻取り用サポート板１３を通って、装置フレーム１０の内側に挿入される。なお、巻取り用サポート板１３には、補助ローラ１４が設けられており、補助ローラ１４と旧調速機ロープ１が接触し、補助ローラ１４が回転することにより、装置フレーム１０の内側へ旧調速機ロープ１がスムーズに取り込まれる。
【００１８】
旧調速機ロープ１が端末取付け金具１２によって傾斜ドラム１５に取り付けられた状態（図１に示す状態）で手巻きハンドル１６を回転させると、旧調速機ロープ１が傾斜ドラム１５に巻きつけられる。傾斜ドラム１５は、その断面が逆台形状であるため、巻取られた旧調速機ロープ１は、傾斜ドラム１５の傾斜により、傾斜ドラム１５の下方に置かれたロープ収納箱１１（例えば、ダンボール箱）に収まっていく。
【００１９】
巻取り作業の途中から徐々に旧調速機ロープ１がロープ収納箱１１に収まっていくようにしてもよく、あるいは、巻取り作業の終了まで旧調速機ロープ１が傾斜ドラム１５に巻きついた状態で、端末取付け金具１２から外された後に、旧調速機ロープ１がロープ収納箱１１に落とされるようにしてもよい。
【００２０】
図２は、図１の調速機ロープ巻取り装置２０を利用した、エレベータの調速機ロープの取替え作業を説明するための図である。
【００２１】
図２において、旧調速機ロープ１が機械室９に設置された調速機綱車４に巻き回されている。旧調速機ロープ１の一端は、昇降路７のピット７ａ（昇降路底部）に垂れ下がっている。また、旧調速機ロープ１の他端は、エレベータのかご８側に垂れ下がり、継ぎ治具３を介して、新調速機ロープ２の一端に取り付けられている。なお、新調速機ロープ２の他端側は、新調速機ロープ送り部６内に収められている。
【００２２】
調速機ロープを取替える場合、まず、ピット７ａに作業者が入れるように、例えば図２に示す位置にかご８を停止させる。次に、旧調速機ロープ１をかご８から取り外し、取り外した旧調速機ロープ１の端部と、新調速機ロープ送り部６から出ている新調速機ロープ２の端部とを継ぎ治具３で連結する。図２では、連結された状態が示されている。
【００２３】
そして、機械室９に設けられた調速機綱車４を介してピット７ａ側に送られている旧調速機ロープ１を、ピット７ａに置かれた調速機ロープ巻取り装置２０に取り付ける。つまり、図１を利用して説明したように、旧調速機ロープ１の端部を装置フレーム１０内の傾斜ドラムに取り付ける。この状態で作業者が手巻きハンドル１６を回転させることにより、巻取られた旧調速機ロープ１が、ロープ収納箱１１に収まっていく。
【００２４】
本発明の好適な実施形態により、旧調速機ロープの巻取り時間が大幅に短縮され作業効率が向上する。また、巻取った旧調速機ロープは、装置内に置かれたロープ収納箱に収められるため、床や壁を汚すことなく旧調速機ロープを回収でき、また、回収後の持ち運びにも便利である。
【００２５】
以上、本発明の好適な実施形態を説明したが、上述した実施形態は、あらゆる点で単なる例示にすぎず、本発明の範囲を限定するものではない。例えば、上述の実施形態では、作業者が手巻きハンドルを利用して傾斜ドラムを回転させる構成を示したが、モータなどの動力を利用して傾斜ドラムを回転させてもよい。
【図面の簡単な説明】
【００２６】
【図１】本発明に係る調速機ロープ巻取り装置の全体構成を示す図である。
【図２】本発明に係る調速機ロープ巻取り装置を利用した、エレベータの調速機ロープの取替え作業を説明するための図である。
【図３】従来のエレベータの調速機ロープの取替え作業を説明するための図である。
【符号の説明】
【００２７】
１  旧調速機ロープ、１３  巻取り用サポート板、１４  補助ローラ、１５  傾斜ドラム、１６  手巻きハンドル、２０  調速機ロープ巻取り装置。
【図１】
2006036436.tif 000003
【図２】
2006036436.tif 000004
【図３】
2006036436.tif 000005